(57)【特許請求の範囲】
【請求項１】
少なくとも２つの交換可能な付属部品を含む脱毛器であって、各付属部品は、異なる皮膚接触表面を有し、該異なる皮膚接触表面は、前記付属部品が当該脱毛器に取り付けられるときに、脱毛部材に対する皮膚の位置を定め、各付属部品は、結合手段を有し、前記付属部品が当該脱毛器に取り付けられるときに、前記付属部品は、前記結合手段によって、前記付属部品を振動させるために当該脱毛器の駆動手段に結合されることを特徴とする、脱毛器。
【請求項２】
各付属部品に設けられる第二蝶番部材と可逆的に係合するための第一蝶番部材を含む、請求項１に記載の脱毛器。
【請求項３】
各付属部品は、弾性部分を含み、該弾性部分は、駆動周期の第一段階の間に前記駆動手段によって変形され、且つ、前記駆動周期の第二段階の間に弛緩するように設計される、請求項１に記載の脱毛器。
【請求項４】
前記駆動手段は、偏心的な回転可能なタペットを含む、請求項１に記載の脱毛器。
【請求項５】
少なくとも１つの付属部品が射出成形部品である、請求項１に記載の脱毛器。
【請求項６】
スナップ機構を用いて前記付属部品の１つと係合するための手段を有する取付けフレームを含み、該取付けフレームは、さらに、前記脱毛部材を保持し、且つ、可逆的に取り外し可能である、請求項１に記載の脱毛器。
【請求項７】
少なくとも２つの付属部品の前記皮膚接触表面は、弾性において異なる、請求項１に記載の脱毛器。
【請求項８】
少なくとも２つの付属部品の前記皮膚接触表面は、テクスチャにおいて異なる、請求項１に記載の脱毛器。
【請求項９】
少なくとも２つの付属部品の前記皮膚接触表面は、形状において異なる、請求項１に記載の脱毛器。
【請求項１０】
少なくとも１つの付属部品の前記皮膚接触表面は、突起の配列を含み、他の付属部品の前記皮膚接触表面は、如何なる突起をも含まない、請求項１に記載の脱毛器。
【請求項１１】
少なくとも１つの付属部品の前記皮膚接触表面は、少なくとも部分的に前記脱毛部材を覆う、請求項１に記載の脱毛器。
【請求項１２】
少なくとも１つの付属部品の前記皮膚接触表面は、前記脱毛部材を取り囲む、請求項１に記載の脱毛器。
【請求項１３】
少なくとも１つの付属部品の前記皮膚接触表面は、前記脱毛部材の１つの側に配置される、請求項１に記載の脱毛器。
【請求項１４】
少なくとも１つの付属部品の前記皮膚接触表面は、皮膚を剥離するために粗いテクスチャを有する、請求項１に記載の脱毛器。
【発明の詳細な説明】
【技術分野】
【０００１】
本発明は、少なくとも２つの交換可能な付属部品を含む脱毛器であって、各付属部品は、異なる皮膚接触表面を有し、異なる皮膚接触表面は、付属部品が脱毛器に取り付けられるときに、脱毛部材に対する皮膚の位置を定める、脱毛器に関する。
【背景技術】
【０００２】
脱毛器の目的は、皮膚を脱毛すること、即ち、毛を引き抜くことによって皮膚から毛を取り除くことである。脱毛器は、その脱毛機能の特性を変更するための補助ツールや、痛みを緩和するために皮膚を振動すること、脱毛後に皮膚をマッサージすること、及び、内方発育毛を取り除くために皮膚を剥離すること等の、脱毛以外の機能をもたらすための補助ツールを含み得る。
【０００３】
皮膚から毛を引き抜くことによって引き起こされる痛みを緩和する様々な方法が従来技術において既知である。
【０００４】
ＷＯ２００４／０５４４０１Ａ１は、上述された種類の脱毛器を記載している。この脱毛器は、脱毛率を多少とも減少し、それによって、痛みレベルを多少とも減少するために、脱毛部材の異なる割合を被覆するよう設計された異なる付属部品を含み得る。
【０００５】
痛みを緩和する代替的な方法は、ＥＰ０８０８１１４Ｂ１及びその中の参考文献に記載されるように、毛が引き抜かれる直前及び間に皮膚内の神経を刺激することから成る。この目的を達成するために、ＥＰ０８０８１１４Ｂ１は、脱毛部材の隣に配置される振動部材を提案している。
【発明の概要】
【発明が解決しようとする課題】
【０００６】
脱毛器が異なる皮膚接触表面を備える付属部品並びに痛みを効果的に緩和するために皮膚内の神経を刺激するための手段を含むよう、冒頭段落中で述べられた種類の脱毛器を更に開発することが本発明の目的である。
【課題を解決するための手段】
【０００７】
この目的は、請求項１中に定められる特徴的な構成によって達成される。本発明の更なる明細及び好適実施態様は、従属項中に概略される。
【０００８】
本発明によれば、各付属部品は結合手段を有し、付属部品が脱毛器に取り付けられるときに、付属部品は、結合手段によって、付属部品を振動させるために脱毛器の駆動手段に結合される。両者、即ち、ＷＯ２００４／０５４４０１Ａ１から既知の付属部品及びＥＰ０８０８１１４Ｂ１から既知の追加的な振動部材を提供する上記目的の明らかな解決策とは対照的に、本発明は、所要部品数を増大せずに、痛みを効果的に緩和するという上記目的を解決する。本発明によれば、各付属部品を振動させることができ、それは振動部材を追加する必要を排除する。付属部品は、脱毛部材も駆動するモータによって、或いは、付属部品を駆動するために専用的に使用される追加的なモータによって、或いは、両方の組み合わせによって駆動され得る。有利に、脱毛器は、使用者が彼又は彼女（使用者）の皮膚に対して脱毛器を快適に操作し得るよう人間工学的に成形されるハンドピースを含む。直接的に或いは取付けフレームのような接続片を用いて、各付属部品をハンドピースに取り付け得る。
【０００９】
好適実施態様によれば、脱毛器は、各付属部品に設けられる第二蝶番部材と可逆的に係合するための第一蝶番部材を含む。これはハンドピースに取り付けられる付属部品のハンドピースに対する旋回運動を可能にし、ハンドピース、よって、皮膚に対する付属部品の傾斜は、小さい角度範囲内で振動する。蝶番は、好ましくは、皮膚と平行に延びる回転軸を定める。付属部品の運動は、ハンドピースに対するその傾斜が４°未満だけ、より好ましくは、２°未満だけ変化するようであるのが好ましい。脱毛器の使用者は、付属部品の旋回を彼又は彼女（使用者）の皮膚上の振動として経験する。ハンドピースの蝶番素子及び付属部品の蝶番素子は、それぞれ、取付け部及び心棒、或いは、その逆であり得る。
【００１０】
各付属部品は、弾性部分を含み、弾性部分は、駆動周期の第一段階の間に駆動手段によって変形され且つ駆動周期の第二段階の間に弛緩するように設計される。それによって、付属部品の表面の強制振動が達成される。
【００１１】
駆動手段は、偏心的な回転可能なタペットを含む。タペットの円周のセグメントは、好ましくは、ハンドピースに取り付けられる付属部品と接触する。その偏心性の故に、タペットの回転は、ハンドピースに対する付属部品の（或いはその可動部分の）周期性運動を誘発する。代替的に或いは追加的に、駆動手段は、ピストンを含み得る。
【００１２】
有利に、少なくとも１つの付属部品は、射出成形部品である。これは付属部品が特に頑丈であり且つ特に簡単な方法で製造されることを可能にする。付属部品は、好ましくは、単一の射出成形部品である。各付属部品は、射出成形部品であることが好ましい。
【００１３】
脱毛器は、スナップ機構を用いて第一又は第二の付属部品のいずれかと係合するための手段を有する取付けフレームを含み、取付けフレームは、さらに、脱毛部材を保持し、ハンドピースから可逆的に取り外し可能である。よって、取付けフレームは、付属部品をハンドピースに接続する中間部品として働く。取付けフレームは、好ましくは、射出成形部品である。
【００１４】
少なくとも２つの付属部品の皮膚接触表面は、弾性において異なり得る。例えば、皮膚をマッサージするための付属部品の皮膚接触表面は、有利に、振動による痛み緩和をもたらすための付属部品の皮膚接触表面よりも弾性的（即ち、より順応的）である。
【００１５】
少なくとも２つの付属部品の皮膚接触表面は、テクスチャ（生地）において異なり得る。例えば、それらは敏感領域の脱毛のためには滑らかであり、皮膚剥離のためには粗くあり得る。
【００１６】
少なくとも２つの付属部品の皮膚接触表面は、形状において異なり得る。具体的には、皮膚接触表面が脱毛部材を覆う程度に関して異なり得る。少なくとも１つの付属部品の皮膚接触表面は、突起の配列を含み得るのに対し、他の付属部品の皮膚接触表面は、如何なる突起をも含まない。有利に、突起は、痛み緩和の目的のために皮膚内の神経を刺激するように成形される。
【００１７】
少なくとも１つの付属部品の皮膚接触表面は、少なくとも部分的に脱毛部材を覆い得る。よって、皮膚接触表面は、脱毛部材の一部が皮膚と接触することを防止し、それによって、痛みレベルを低減する。少なくとも１つの付属部品の皮膚接触表面は、脱毛部材を完全に取り囲む。この場合には、皮膚接触表面は、脱毛器の脱毛機能を無能にし、例えば、マッサージ又は剥離機能をもたらし得る。
【００１８】
少なくとも１つの付属部品の皮膚接触表面は、脱毛部材を取り囲み得る。よって、皮膚接触表面は、脱毛部材の周囲が皮膚と接触することを防止する。
【００１９】
少なくとも１つの付属部品の皮膚接触表面は、脱毛部材の１つの側に配置され得る。それによって、脱毛器は、移動の方向に対して非対称的に作製される、即ち、その脱毛特性は、脱毛器が皮膚上で移動される方向に依存する。
【００２０】
少なくとも１つの付属部品の皮膚接触表面は、皮膚を剥離するために粗いテクスチャを有し得る。この脈絡において、皮膚接触表面は、好ましくは、脱毛部材を完全に覆う。
【００２１】
本発明のこれらの及び他の特徴は、以下に記載される実施態様を参照して明瞭に解明される。
【図面の簡単な説明】
【００２２】
【図１ａ】本発明に従った脱毛ユニット及び付属部品を異なる視野から示す分解正面図である。
【図１ｂ】本発明に従った脱毛ユニット及び付属部品を異なる視野から示す分解側面図である。
【図１ｃ】本発明に従った脱毛ユニット及び付属部品を異なる視野から示す分解背面図である。
【図１ｄ】本発明に従った脱毛ユニット及び付属部品を異なる視野から示す分解上面図である。
【図１ｅ】本発明に従った脱毛ユニット及び付属部品を異なる視野から示す分解斜視図である。
【図２ａ】図１ａ乃至ｅに示された脱毛ユニットに取り付けられた付属部品を示す斜視図である。
【図２ｂ】図１ａ乃至ｅに示された脱毛ユニットに取り付けられた付属部品を示す斜視図である。
【図３ａ】本発明に従った付属部品の異なる実施態様を概略的に示す上面図である。
【図３ｂ】本発明に従った付属部品の異なる実施態様を概略的に示す上面図である。
【図３ｃ】本発明に従った付属部品の異なる実施態様を概略的に示す上面図である。
【図３ｄ】本発明に従った付属部品の異なる実施態様を概略的に示す上面図である。
【図４ａ】脱毛ユニットの駆動手段に結合された付属部品を概略的に示す切欠図である。
【図４ｂ】脱毛ユニットの駆動手段に結合された付属部品を概略的に示す切欠図である。
【図５ａ】好適実施態様に従った脱毛ユニットの駆動手段に結合された付属部品を概略的に示す切欠図である。
【図５ｂ】好適実施態様に従った脱毛ユニットの駆動手段に結合された付属部品を概略的に示す切欠図である。
【図６】脱毛ユニットと一組の４つの交換可能な付属部品とを含むシステムを示す概略図である。
【発明を実施するための形態】
【００２３】
異なる図面中に現れている類似の或いは近似の機能は、同じ参照番号によって指し示され、必ずしも１回以上記載されるというわけではない。
【００２４】
図１ａ乃至ｅは、それぞれ、本発明に従った脱毛器の正面図、側面図、背面図、上面図、斜視図である。脱毛器は、脱毛ユニット１０と、付属部品１８とを含む。脱毛ユニット１０は、ハンドピース１２と、取付けフレーム１４と、毛を把持し且つ人間の皮膚から毛を取り除くための脱毛部材１６とを含む。ハンドピース１２は、脱毛部材１６を駆動するための電気モータ（図示せず）を収容するハウジングを含む。脱毛部材１６は、取付けフレーム１４に取り付けられる。本実施態様において、脱毛部材１６は、協働する締付けディスクの対を含み、締付けディスクは、取付けフレーム１４に取り付けられる歯車４０を介して駆動される。しかしながら、脱毛部材１６は、従来技術において既知の如何なる種類であってもよい。毛を把持するために皮膚と接触するように設計される脱毛部材１６の部分を脱毛部材の活性脱毛領域と呼ぶ。よって、図示される実施態様において、活性脱毛領域は、締付けディスクの外周、より正確には、脱毛ユニットが付属部品を備えずに使用されるならば皮膚と接触するであろう締付けディスクの部分によって定められる表面で構成される。脱毛部材１６が取付けフレーム１４に取り付けられた状態で、如何なるツールをも使用せずに、使用者によって、取付けフレーム１４をハンドピース１２に接続し或いはハンドピース１２から分離し得る。この目的を達成するために、取付けフレーム１４は、尖塔状の突起部３０，３２を含み、突起は、ハンドピース１２の取付け板の上の相補的な凹部３４，３６（図１ｅを参照）と一致するように成形され、取付けフレーム１４とハンドピース１２との間のスナップ接続をもたらす。取付けフレーム１４を脱毛部材１６と共にハンドピース１２から一時的な取り外すことは、脱毛部材１６を洗浄するために便利であり得る。付属部品１８は、取付けフレーム１４に取り外し可能に取り付け可能である。図示の実施態様において、付属部品１８は、振動キャップであり、振動キャップは、取付けフレーム１４に取り付けられるときに、脱毛部材１６の基部及び側部を取り囲み、それによって、脱毛部材１６と皮膚との間の障壁をもたらし、よって、脱毛処置中に脱毛部材１６に対する皮膚の位置を定める。取付けフレーム１４及び振動キャップ１８は、ハンドピース１２の駆動歯車（図１ｅを参照）に動作可能に接続される（図５ａ乃至ｂを参照して以下に記載される）結合機構を介して、旋回運動が振動キャップ１８に付与されるように設計される。振動キャップ１８の表面は、皮膚と接触するように設計される表面２０を有する。振動キャップ１８は、中空の半円筒の一般的な形状を有し、その表面は、実質的に矩形の開口４２を有し、脱毛部材１６は、その開口を通じて皮膚と接触し得る。付属部品の開口４２及び支持部２８は、振動キャップ１８によって定められる半円筒の主軸と平行に延びる平坦な振動バー２６によって架橋されている。振動バー２６の上方表面は、振動キャップ１８が、脱毛されるべき皮膚の部分を簡略に麻酔（麻痺）するよう十分に高い周波数で旋回されるときに、皮膚の上に振動感覚を引き起こすために、同一の円錐形又は半球形の突起４４の二次元配列を含む。この目的を達成するために、脱毛器の使用者は、皮膚上でのその動作中に、活性脱毛領域が振動バー２６に後続し、それによって、脱毛される前に、皮膚が振動バー２６によって少なくとも部分的に麻酔されることを保証するような方向に、脱毛器を彼又は彼女（使用者）の皮膚の上で移動する必要がある。また、振動バー２６は、使用者に脱毛ユニット１０を皮膚に対して垂直に保持させる。その基部に、付属部品１８は、基部を越えて下向きに突出する垂直突起２２を有し、垂直突起２２は、スナップ機構を用いて付属部品１８を取付けフレーム１４に締結するために、取付けフレーム１４の上方側の上の相補的な凹部（図示せず）と係合するように設計される。その基部に、付属部品１８は、一対の心棒（図示せず）をさらに有し、一対の心棒は、蝶番を形成するために、取付けフレーム１４上の相補的な対の取付け部２４と可逆的に係合するよう設計される。よって、以下に記載されるべきキャップのような振動キャップは、突起２２、取付け部２４、及び、それらの相補的な部材を用いて、取付けフレーム１４を脱毛部材１６の２つの両側の上に係合する。
【００２５】
図２ａ及び２ｂは、図１ａ乃至ｅを参照して記載されたように取り付けられる振動キャップ１８を備える脱毛ユニット１０を示している。
【００２６】
図３ａ乃至ｄは、図１ａ乃至ｅ及び図２ａ乃至ｂを参照して記載された脱毛ユニット１０の取付けフレーム１４に取り外し可能に且つ交換可能に取り付けられ得る４つの異なる付属部品１８を概略的に例証している。脱毛ユニット１０との組み合わせにおいて、各付属部品は、以下の機能の群から選択される異なる機能をもたらす。即ち、活性脱毛領域の一部が皮膚に接触するのを防止すること、皮膚を麻酔すること、皮膚をマッサージすること、及び、皮膚を剥離すること。２つの付属部品を交換することによって、即ち、先ず、脱毛ユニット１０から第一の付属部品（例えば、図３ａに示される付属部品）を取り外し、次に、第二の付属部品（例えば、図３ｂに示される付属部品）を取り付けることによって、脱毛器の機能性は簡単な方法で変更される。
【００２７】
図３ａは、図１ａ乃至ｅ及び図２ａ乃至ｂを参照して上述された振動キャップ１８ａの概略的な上面図である。振動キャップ１８ａは、皮膚上に緩和振動感覚を生成するための皮膚接触表面２０を有し、皮膚接触表面２０の一部が振動バー２６によって提供され、振動バーには半球形突起４４が点在している。実質的に矩形の開口４２の長さは、脱毛ユニット１０（図示せず）の脱毛部材１６（図示せず）の長さと一致し、高い脱毛率を可能にする。振動キャップは、脱毛部材を取り囲まずに脱毛部材に隣接して配置される振動部材を含む以前の装置と比較すると、振動キャップが脱毛部材を取り囲むことの故に、脱毛部材の周りの皮膚のより大きい表面を刺激することを可能にする。
【００２８】
図３ｂは、本発明の第二実施態様に従った付属部品の概略的な上面図である。付属部品１８ｂは、脱毛器の新規使用者が脱毛措置によって引き起こされる痛みに慣れるようになるのを助けるよう設計される初心者用キャップである。初心者用キャップ１８ｂは、その実質的に矩形の開口４２がより短く、よって、より小さい点で、図３ａの振動キャップ１８ａと本質的に異なる。よって、初心者用キャップは、脱毛部材１６の一部が皮膚と接触することを防止し、その結果、振動キャップと比較して減少された脱毛速度及び減少された痛みレベルをもたらす。振動キャップと比較すると、初心者用キャップを使用するときには、皮膚の所与の領域を脱毛するために必要とされる総時間はより長い。
【００２９】
図３ｃは、本発明の第三実施態様に従った付属部品の概略的な上面図である。付属部品は、皮膚の敏感な領域、例えば、腋窩を脱毛するよう設計された感応キャップ１８ｃである。図３ｂに示される初心者用キャップと比較すると、開口２４はさらに減少され、よって、初心者用キャップは、図１及び２において可視的な脱毛部材１６のより大きな部分が皮膚と接触することを防止し、その結果、より一層低い脱毛率及びより一層低い痛みレベルをもたらす。感応キャップは、開口４２を架橋する振動バーを有さない。何故ならば、そのような振動バーは、腋窩のような体の窪んだ部分にある皮膚を脱毛するときに厄介であり得るからである。開口４２の小さい大きさ及び振動バーの欠落の双方が、感応キャップの皮膚上での操作を特に容易にする。
【００３０】
図３ｄは、本発明の第四実施態様に従った付属部品の概略的な上面図である。付属部品は、先行工程において脱毛された皮膚を剥離するよう設計された剥離キャップ１８ｄである。脱毛後の皮膚内の毛の内方成長を防止するために、死んだ皮膚を擦り落とし且つ孔を開け、それによって、新しい毛が問題なく伸びることを可能にするよう、皮膚は連続的な脱毛処置の間に数回剥離されるべきである。剥離キャップ１８ｄは、脱毛部材を完全に覆い、よって、脱毛器の脱毛機能を完全に無能にする。従って、剥離キャップ１８ｄは、図３ａ乃至ｃに示されるような開口４２に類似する開口を有さない。剥離キャップの皮膚接触表面２０は、剥離機能を提供するために、図面中に点によって表示されるように、粗いテクスチャ（生地）を有する。紙ヤスリを用いて粗いテクスチャをもたらし得る。
【００３１】
本発明の第五実施態様によれば、付属部品は、皮膚をマッサージするためのマッサージキャップ（図示せず）である。マッサージキャップは、脱毛部材を完全に覆う点で、剥離キャップに類似する。マッサージキャップは、滑らかな表面を有し且つより順応的（コンプライアント）な材料から成る点で、剥離キャップと異なる。
【００３２】
図４ａ及び４ｂは、脱毛ユニット（前述の図面中の１０）上に取り付けられる付属部品１８に振動運動を付与するための可能な方法を概略的に例証している。心棒４６が取付けフレーム（前述の図面中の１４）上に取り付けられている。この心棒４６は、心棒について回転可能な偏心的な、好ましくは、卵形又は楕円形のタペット４８を支持する。心棒４６は、付属部品１８の主軸と平行に延び、主軸は、中空の半円筒の一般的な形状を有する。弾性バー５０が、中空の半円筒の内表面からその内部に水平に突出している。この弾性バー５０は、中空の半円筒の内表面からその内部に垂直に下向きに突出する他の弾性バー５２に接続されている。その偏心的な形状の故に、タペット４８は、各回転中にバー５０を二度屈曲させる（図４ｂ）。水平バー５０の屈曲は、垂直バー５２を介して、付属部品１８の表面の変形を引き起こす。付属部品１８は、その平衡形状１８’に弛緩するよう、弾性材料から成り、付属部品１８は、この弛緩が可能であるような向きをタペット４８が有するときに、その平衡形状１８’に弛緩する（図４ａ）。タペットが十分に急速に回転するならば、付属部品の表面の変形は、脱毛器の使用者による振動として経験される。振動周波数は、タペットの形状に関係し、単一タペットを二重タペット又はルーローの三角形に変更することによって変更され得る。代替的に或いは追加的に、付属部品１８は、付属部品１８がその平衡形状に戻ることを保証し或いは助けるバネを含み得る。
【００３３】
図５ａ及び５ｂは、脱毛器の付属部品１８の概略的な切欠側面図であり、付属部品１８を振動する好適な方法を例証している。図面は極度に単純化されていることに留意のこと。具体的には、実際の実施態様では、皮膚と接触すべき付属部品の領域は、人間工学的に丸められる。付属部品１８は、回転軸を定める蝶番２４，５４を用いてハンドピース（図示せず）の取付けフレーム１４に取り付けられ、その回転軸は、図面の仮想平面に対して垂直であり、キャップ１８は、その回転軸について回転可能である。蝶番２４，５４は、付属部品１８の剛的部分を形成する心棒５４と、取付けフレーム１４の剛的部分を形成する相補的な取付け部２４とから構成されている。取付け部２４は、心棒５４を部分的に取り囲み、それによって、心棒５４を保持する。取付けフレーム１４に同様に取り付けられているのは、蝶番２４，５４の心棒５４と平行に延びる回転可能な心棒４６である。よって、心棒４６も、図面中の図の平面に対して垂直である。心棒４６は、心棒４６と共に一体成形品を形成するタペット４８を保持する。タペット４８は、タペット４８をハンドピース内に配置されるモータに結合する連結機構（図示せず）を介して駆動可能である。バネ５８がタペットの心棒４６付近に配置され、バネ５８の下方端部は、取付けフレーム１４に取り付けられ、上方端部は、付属部品１８の突起５０に接触している。突起５０は、付属部品１８の内部に水平に突出している。バネ５８は、タペット４８が回転するときに、突起５０の底部表面をタペット４８の頂部表面との安定した接触状態に維持させる。タペット４８は、各回転中に、突起５０、それによって、付属部品１８を取付けフレーム１４に対して二度持ち上げる（図５ｂ）ために、楕円形の横方向プロファイルを有する。よって、タペット４８が回転するときに、バネ５８は拡張し且つ接触する。回転するタペット４８によって付属部品１８に付与される全体的な運動は、蝶番２４，５４の心棒５４によって定められる軸について数度、好ましくは、２°と４°との間の往復回転である。よって、付属部品１８は、蝶番２４，５４の心棒５４によって定められる軸について旋回する。取付けフレーム１４に対する付属部品１８の回転角度は小さい（４°より下）のままであるので、付属部品の往復回転運動（即ち、旋回）は、使用者によって振動として経験される。皮膚に対する麻酔効果を生み出すのは、この振動である。図４ａ及び４ｂを参照して記載された実施態様と対照的に、付属部品１８は振動効果を達成するために弾性的である必要がないことが付記される。
【００３４】
図６は、脱毛ユニット１０と、図３ａ乃至ｄを参照して記載されたような４つの異なる交換可能な付属部品１８ａ，１８ｂ，１８ｃ，１８ｄの組とを含む脱毛器８を例証している。付属部品は、それぞれ、振動キャップ１８ａ、初心者用キャップ１８ｂ、感応キャップ１８ｃ、及び、剥離キャップ１８ｄである。脱毛ユニット１０は、ハンドピース１２と、脱毛部材（図示せず）を保持する取り外し可能な取付けフレーム１４とを含む。付属部品１８ａ，１８ｂ，１８ｃ，１８ｄは、脱毛ユニット１０の取付けフレーム１４への取り外し可能な固定のための相互に同一の手段を有し、それはシステム８の使用者のために付属部品を容易に交換可能にする。脱毛器８は、さらに、好ましくは、マッサージキャップ（図示せず）及び／又は取付けフレーム１４への取り外し可能な固定のための手段を有する他の適切なキャップを含み、それらの手段は、付属部品１８ａ，１８ｂ，１８ｃ，１８ｄのための手段と同じである。例えば、脱毛器は、さらに、不使用時に脱毛部材を完全に覆い且つ脱毛ユニット１０を保護する働きをするに過ぎない保護キャップを含み得る。よって、脱毛器８は、彼又は彼女（使用者）が脱毛部材を変更する必要なしに使用者によって選択され得る幾つかの異なる機能を提供する。
【００３５】
本発明は図面及び前述の記載中に詳細に例証され且つ記載されたが、これらの図面及び記載は実施例として考えられるべきであり、限定的に考えられるべきではない。本発明は開示された実施態様に限定されない。
【００３６】
「含む」及びその活用形の使用は、請求項中に述べられるそれら以外の工程又は素子の存在を排除しない。不定冠詞の使用は、複数の工程又は素子を排除しない。単一のユニットが請求項中に述べられる幾つかの手段の機能をもたらし得ることも付記される。特定の機能が相互に異なる従属項中に引用されているという単なる事実は、これらの機能の組み合わせを有利に使用し得ないことを示さない。請求項中の如何なる参照記号も、範囲を限定するものとして考えられるべきではない。
【図１ａ】
0005411168.tif 000002
【図１ｂ】
0005411168.tif 000003
【図１ｃ】
0005411168.tif 000004
【図１ｄ】
0005411168.tif 000005
【図１ｅ】
0005411168.tif 000006
【図２ａ】
0005411168.tif 000007
【図２ｂ】
0005411168.tif 000008
【図３ａ】
0005411168.tif 000009
【図３ｂ】
0005411168.tif 000010
【図３ｃ】
0005411168.tif 000011
【図３ｄ】
0005411168.tif 000012
【図４ａ】
0005411168.tif 000013
【図４ｂ】
0005411168.tif 000014
【図５ａ】
0005411168.tif 000015
【図５ｂ】
0005411168.tif 000016
【図６】
0005411168.tif 000017